(57)【要約】  複数の通信バンドのうち１つの通信バンドが使用される場合、または２つ以上の通信バンドが共用される場合の、いずれの場合においても、通信信号の損失を抑制することができる高周波モジュールを提供する。高周波モジュール（１）は、第１のスイッチ回路（１２）、及び整合回路（１４１，１４２，１４３）を備える。整合回路（１４１，１４２，１４３）は、第１の伝送経路（１１１１）、第２の伝送経路（１１１２）及び第３の伝送経路（１１２）のそれぞれに設けられる。そして、第１のスイッチ回路（１２）は、第１の通信バンドのみを用いて通信するとき、第１の伝送経路（１１１１）を選択し、第１の通信バンドおよび第２の通信バンドを共用して通信するとき、第２の伝送経路（１１１２）及び第３の伝送経路（１１２）を選択する。
2018180761.tif 000002
【特許請求の範囲】
【請求項１】
第１の通信バンドに対応する第１の伝送経路及び第２の伝送経路と、
前記第１の通信バンドと周波数帯が異なる第２の通信バンドに対応する第３の伝送経路と、
アンテナに電気的に接続されるアンテナ端子と、
前記第１の伝送経路、前記第２の伝送経路及び前記第３の伝送経路のそれぞれに設けられる整合回路と、
共通端子を有し、前記第１の伝送経路、前記第２の伝送経路及び前記第３の伝送経路のうち、１つ以上が選択的に前記共通端子に電気的に接続されるスイッチ回路と、を備え、
前記共通端子は前記アンテナ端子に電気的に接続され、
前記スイッチ回路は、
前記第１の通信バンドのみを用いて通信するとき、前記第１の伝送経路を選択し、
前記第１の通信バンド及び前記第２の通信バンドを共用して通信するとき、前記第２の伝送経路及び前記第３の伝送経路を選択する
高周波モジュール。
【請求項２】
前記第１の伝送経路及び前記第２の伝送経路に電気的に接続される第１のフィルタ回路と、
前記第３の伝送経路に電気的に接続される第２のフィルタ回路と、をさらに備える
請求項１記載の高周波モジュール。
【請求項３】
前記第１の伝送経路、前記第２の伝送経路及び前記第３の伝送経路のそれぞれに設けられる前記整合回路を構成するインピーダンス素子の接続形態は同一である、請求項１または２記載の高周波モジュール。
【請求項４】
前記第２の通信バンドに対応する第４の伝送経路と、
前記第４の伝送経路に設けられる整合回路とをさらに備え、
前記スイッチ回路は、前記第２の通信バンドのみを用いて通信するとき、前記第４の伝送経路を選択する
請求項１乃至３のいずれか一項に記載の高周波モジュール。
【請求項５】
前記第１の通信バンド及び前記第２の通信バンドの各送信信号を増幅する送信用増幅回路をさらに備える、請求項１乃至４のいずれか一項に記載の高周波モジュール。
【請求項６】
前記第１の通信バンド及び前記第２の通信バンドの各受信信号を増幅する受信用増幅回路をさらに備える、請求項１乃至５のいずれか一項に記載の高周波モジュール。
【発明の詳細な説明】
【技術分野】
【０００１】
本発明は、高周波モジュールに関する。
【背景技術】
【０００２】
近年、無線通信分野において、互いに周波数帯域が異なる複数の通信バンドを組み合わせて利用する技術が広く用いられている。この技術は、ＣＡ（Carrier Aggregation）と呼ばれており、複数の通信バンドを共用することで高速化及び通信の安定化（通信の質、信頼性の向上）を図っている。ＣＡを用いた通信では、複数の通信バンドを共用する場合でも、アンテナ側から通信回路側を見たインピーダンスを最適化（インピーダンス整合）して、通信信号の減衰を抑える必要がある。【０００３】
例えば、特許文献１の電子回路は、スイッチと、第１デュプレクサと、第２デュプレクサと、受信フィルタとを備えている。スイッチは、複数のポートを備えて、複数のポートからアンテナと接続されるポートを選択する。第１デュプレクサは、複数のポートのうち第１ポートと第１端子との間に接続され、第１通過帯域を有する。第２デュプレクサは、複数のポートのうち第２ポートと第２端子との間に接続され、第１通過帯域より受信帯域と送信帯域との間隔が小さい第２通過帯域を有する。受信フィルタは、複数のポートのうち第３ポートと第３端子との間に接続され、第２通過帯域の受信帯域と重なる受信帯域を有する。そして、第１通過帯域に含まれる信号の送信および受信、並びに第２通過帯域に含まれる信号の受信を同時に行う場合、スイッチは第１ポートおよび第３ポートを選択し、第２ポートは選択しない。【０００４】
すなわち、スイッチが第１ポートおよび第３ポートを選択した場合、第１通過帯域の送信帯域および受信帯域に含まれる周波数では、スイッチから見てフィルタは開放され、第２通過帯域の受信帯域に含まれる周波数では、スイッチから見て第１デュプレクサは開放される。この結果、ＣＡを用いた通信において、通信信号の漏洩が抑制されるため、通信信号の損失が少なくなる。
【先行技術文献】
【特許文献】
【０００５】
【特許文献１】特開２０１５−２９２３３号公報
【発明の概要】
【発明が解決しようとする課題】
【０００６】
ＣＡを用いた通信では、異なる通信バンドによる影響を抑えるため、デュプレクサとアンテナの間に整合回路を設けている。この整合回路は、単一の通信バンドのみを使用する場合と、複数の通信バンドを共用する場合とで、インピーダンスの最適値が異なるため、一方の場合に最適化すると他方の場合で特性が劣化してしまうという問題があった。【０００７】
本発明の目的とするところは、複数の通信バンドのうち１つの通信バンドが使用される場合、または２つ以上の通信バンドが共用される場合の、いずれの場合においても、通信信号の損失を抑制することができる高周波モジュールを提供することにある。
【課題を解決するための手段】
【０００８】
本発明の一態様に係る高周波モジュールは、第１の伝送経路及び第２の伝送経路と、第３の伝送経路と、アンテナ端子と、整合回路と、スイッチ回路と、を備える。前記第１の伝送経路は、第１の通信バンドに対応する。前記第３の伝送経路は、前記第１の通信バンドと周波数帯が異なる第２の通信バンドに対応する。前記アンテナ端子は、アンテナに電気的に接続される。前記整合回路は、前記第１の伝送経路、前記第２の伝送経路及び前記第３の伝送経路のそれぞれに設けられる。前記スイッチ回路は、共通端子を有し、前記第１の伝送経路、前記第２の伝送経路及び前記第３の伝送経路のうち、１つ以上が選択的に前記共通端子に電気的に接続される。前記共通端子は前記アンテナ端子に電気的に接続される。そして、前記スイッチ回路は、前記第１の通信バンドのみを用いて通信するとき、前記第１の伝送経路を選択し、前記第１の通信バンド及び前記第２の通信バンドを共用して通信するとき、前記第２の伝送経路及び前記第３の伝送経路を選択する。
【発明の効果】
【０００９】
本発明の上記態様に係る高周波モジュールでは、複数の通信バンドのうち１つの通信バンドが使用される場合、または２つ以上の通信バンドが共用される場合の、いずれの場合においても、通信信号の損失を抑制することができるという効果がある。
【図面の簡単な説明】
【００１０】
【図１】図１は、本発明の実施形態に係る高周波モジュールを示すブロック図である。
【図２】図２は、同上の高周波モジュールの第１シングルモードにおけるスイッチ回路の状態を示す簡略化した回路図である。
【図３】図３Ａは、同上の高周波モジュールの第１シングルモードにおける伝送経路側のインピーダンスを示すスミスチャートである。図３Ｂは、同上の高周波モジュールの第１シングルモードにおける受信信号の周波数特性図である。
【図４】図４は、同上の高周波モジュールの第２シングルモードにおけるスイッチ回路の状態を示す簡略化した回路図である。
【図５】図５は、同上の高周波モジュールのＣＡモードにおけるスイッチ回路の状態を示す簡略化した回路図である。
【図６】図６Ａは、同上の高周波モジュールのＣＡモードにおける伝送経路側のインピーダンスを示すスミスチャートである。図６Ｂは、同上の高周波モジュールのＣＡモードにおける受信信号の周波数特性図である。
【図７】図７Ａは、同上の高周波モジュールの整合回路の第１例を示す簡略化した回路図である。図７Ｂは、同上の高周波モジュールの整合回路の第２例を示す簡略化した回路図である。
【図８】図８は、同上の高周波モジュールの整合回路の第３例を示す簡略化した回路図である。
【図９】図９は、同上の高周波モジュールの第１変形例の構成の一部を示す回路図である。
【図１０】図１０は、同上の高周波モジュールの第２変形例の構成の一部を示す回路図である。
【図１１】図１１は、同上の高周波モジュールの部品実装の概略構成を示す平面図である。
【図１２】図１２は、同上の高周波モジュールの部品実装のＡ１−Ａ２断面図である。
【発明を実施するための形態】
【００１１】
以下の実施形態は、高周波モジュールに関する。より詳細には、以下の実施形態は、周波数帯域が互いに異なる２つ以上の通信バンドを利用することができる高周波モジュールに関する。
【００１２】
以下に本発明の実施形態を図面に基づいて説明する。
【００１３】
図１は、本実施形態の高周波モジュール１の回路構成を示す。
【００１４】
高周波モジュール１は、主構成として、２つの伝送経路１１１，１１２と、第１のスイッチ回路１２と、アンテナ端子１３１と、３つの整合回路１４１−１４３とを備える。また、高周波モジュール１は、デュプレクサ１５１，１５２をさらに備えることが好ましい。また、高周波モジュール１は、パワーアンプ１６と、第２のスイッチ回路１７とをさらに備える。また、高周波モジュール１は、ローノイズアンプ１８１，１８２をさらに備える。また、高周波モジュール１は、スイッチ制御回路１９をさらに備える。また、高周波モジュール１は、入力端子１３２、出力端子１３３，１３４、制御端子１３５をさらに備える。
【００１５】
伝送経路１１１，１１２は、電気信号を伝送する導体で形成されている。例えば、伝送経路１１１，１１２は、銀または銅で形成される。そして、伝送経路１１１は、さらに２つの伝送経路１１１１，１１１２に分岐している。以降、伝送経路１１１１を第１の伝送経路１１１１と呼び、伝送経路１１１２を第２の伝送経路１１１２と呼び、伝送経路１１２を第３の伝送経路１１２と呼ぶ。
【００１６】
第１の伝送経路１１１１及び第２の伝送経路１１１２は第１の通信バンドにそれぞれ対応し、第３の伝送経路１１２は第２の通信バンドに対応しており、第１の通信バンド、第２の通信バンドは、周波数帯域が互いに異なる。第１の伝送経路１１１１及び第２の伝送経路１１１２をそれぞれ伝送する電気信号は、第１の通信バンドの通信信号であり、第３の伝送経路１１２を伝送する電気信号は、第２の通信バンドの通信信号である。なお、通信信号には、送信信号及び受信信号が含まれる。
【００１７】
第１のスイッチ回路１２は、半導体スイッチ回路である。そして、第１のスイッチ回路１２は、スイッチ１２１−１２３を有している。スイッチ１２１−１２３は、電界効果トランジスタ（FET：Field effect transistor）、またはＭＥＭＳ（Micro Electro Mechanical Systems）スイッチ、またはバイポーラトランジスタなどで構成されている。スイッチ１２１−１２３のそれぞれの一端は共通端子１２０に電気的に接続している。共通端子１２０は、さらにアンテナ端子１３１に電気的に接続している。また、スイッチ１２１−１２３の他端は、第１の伝送経路１１１１、第２の伝送経路１１１２、及び第３の伝送経路１１２にそれぞれ電気的に接続している。そして、第１のスイッチ回路１２は、スイッチ１２１−１２３のそれぞれがオンオフすることで、第１の伝送経路１１１１、第２の伝送経路１１１２、及び第３の伝送経路１１２のそれぞれとアンテナ端子１３１との間の電気的な接続を導通状態または遮断状態に切り替えることができる。
【００１８】
アンテナ端子１３１は、電波を授受する通信用のアンテナ２が電気的に接続される。
【００１９】
整合回路１４１−１４３は、アンテナ端子１３１からみた伝送経路側のインピーダンスを調整するために設けられており、配線、コンデンサ及びインダクタなどのインピーダンス素子でそれぞれ構成されている。
【００２０】
整合回路１４１は、第１の伝送経路１１１１に対して設けられており、インダクタＬ１とコンデンサＣ１１とで構成される。インダクタＬ１は、伝送経路１１１とグランドとの間に電気的にシャント接続している。コンデンサＣ１１は、第１の伝送経路１１１１に電気的に直列接続している。整合回路１４２は、第２の伝送経路１１１２に対して設けられており、インダクタＬ１とコンデンサＣ１２とで構成される。コンデンサＣ１２は、第２の伝送経路１１１２に電気的に直列接続している。
【００２１】
なお、整合回路１４１，１４２は、インダクタＬ１を共用しているが、整合回路１４１，１４２は、互いに別のインピーダンス素子のみを用いてそれぞれ構成されてもよい。図１では、整合回路１４１，１４２が、インダクタＬ１を共通のインピーダンス素子にすることで、必要なインピーダンス素子の数を低減させている。
【００２２】
整合回路１４３は、第３の伝送経路１１２に対して設けられており、インダクタＬ２とコンデンサＣ２とで構成される。インダクタＬ２は、第３の伝送経路１１２とグランドとの間に電気的にシャント接続している。コンデンサＣ２は、第３の伝送経路１１２に電気的に直列接続している。
【００２３】
そして、第１の伝送経路１１１１は、オン状態のスイッチ１２１を介してアンテナ端子１３１に電気的に導通する。第２の伝送経路１１１２は、オン状態のスイッチ１２２を介してアンテナ端子１３１に電気的に導通する。第３の伝送経路１１２は、オン状態のスイッチ１２３を介してアンテナ端子１３１に電気的に導通する。
【００２４】
デュプレクサ１５１，１５２は、送信周波数の通信信号（送信信号）と受信周波数の通信信号（受信信号）のフィルタリングを行う機能を有しており、送信側フィルタと受信側フィルタとをそれぞれ備える。すなわち、デュプレクサ１５１は、第１のフィルタ回路に相当し、デュプレクサ１５２は、第２のフィルタ回路に相当する。
【００２５】
デュプレクサ１５１の送信側フィルタは、第１の通信バンドにおける送信周波数の送信信号を通過させ、送信周波数以外の信号を減衰させる。デュプレクサ１５１の受信側フィルタは、第１の通信バンドにおける受信周波数の受信信号を通過させ、受信周波数以外の信号を減衰させる。
【００２６】
デュプレクサ１５２の送信側フィルタは、第２の通信バンドにおける送信周波数の送信信号を通過させ、送信周波数以外の信号を減衰させる。デュプレクサ１５２の受信側フィルタは、第２の通信バンドにおける受信周波数の受信信号を通過させ、受信周波数以外の信号を減衰させる。
【００２７】
パワーアンプ１６は、マルチバンドパワーアンプであり、パワーアンプ１６の入力端は、入力端子１３２を介して通信制御回路３に電気的に接続している。そして、パワーアンプ１６は、通信制御回路３から入力された第１の通信バンド及び第２の通信バンドの各送信信号を増幅し、増幅した送信信号を出力端から出力する。なお、パワーアンプ１６が、送信用増幅回路に相当する。
【００２８】
第２のスイッチ回路１７は、パワーアンプ１６の出力端とデュプレクサ１５１，１５２との間に設けられた半導体スイッチ回路である。第２のスイッチ回路１７は、パワーアンプ１６の出力を、デュプレクサ１５１，１５２の各送信側フィルタのいずれかに選択的に接続することができる。また、第２のスイッチ回路１７は、パワーアンプ１６の出力がデュプレクサ１５１，１５２のいずれにも接続していない状態にすることもできる。
【００２９】
ローノイズアンプ１８１は、デュプレクサ１５１の受信側フィルタに電気的に接続している。そして、ローノイズアンプ１８１は、デュプレクサ１５１の受信側フィルタから出力される第１の通信バンドの受信信号を増幅する。ローノイズアンプ１８１は、増幅した受信信号を出力端子１３３を介して通信制御回路３へ出力する。なお、ローノイズアンプ１８１が、受信用増幅回路に相当する。
【００３０】
ローノイズアンプ１８２は、デュプレクサ１５２の受信側フィルタに電気的に接続している。そして、ローノイズアンプ１８２は、デュプレクサ１５２の受信側フィルタから出力される第２の通信バンドの受信信号を増幅する。ローノイズアンプ１８２は、増幅した受信信号を出力端子１３４を介して出力端から通信制御回路３へ出力する。なお、ローノイズアンプ１８２が、受信用増幅回路に相当する。
【００３１】
スイッチ制御回路１９は、第１の制御部１９１と、第２の制御部１９２とを備えている。そして、スイッチ制御回路１９は、制御端子１３５を介して通信制御回路３から制御信号を受け取り、制御信号に基づいて第１のスイッチ回路１２，第２のスイッチ回路１７のそれぞれを制御する。第１の制御部１９１は、第１のスイッチ回路１２のスイッチ１２１−１２３のそれぞれを個別にオンオフ制御する。第２の制御部１９２は、第２のスイッチ回路１７を制御して、パワーアンプ１６の出力端の接続先を切り替える。
【００３２】
また、高周波モジュール１は、上述のようにパワーアンプ１６、ローノイズアンプ１８１，１８２を備えることで、無線通信のフロントエンド回路を構成している。
【００３３】
通信制御回路３は、コンピュータを有する。コンピュータは、プログラムを実行するプロセッサを備えたデバイスと、他の装置との間で信号を授受するためのインターフェイス用のデバイスと、プログラムやデータなどを記憶する記憶用のデバイスとを主な構成要素として備える。プロセッサを備えたデバイスは、記憶用のデバイスと別体であるＣＰＵ（Central Processing Unit）またはＭＰＵ（Micro Processing Unit）のほか、記憶用のデバイスを一体に備えるマイコン（Microcomputer）のいずれであってもよい。記憶用のデバイスには、半導体メモリのようにアクセス時間が短い記憶装置が主に用いられる。
【００３４】
プログラムの提供形態としては、コンピュータに読み取り可能なＲＯＭ（Read Only Memory）、光ディスク等の記録媒体に予め格納されている形態、インターネット等を含む広域通信網を介して記録媒体に供給される形態等がある。
【００３５】
そして、通信制御回路３では、コンピュータがプログラムを実行することで、送信信号の変調処理、受信信号の復調処理、第１のスイッチ回路１２，第２のスイッチ回路１７のそれぞれの切替処理を行う。なお、通信制御回路３は、ディスクリート部品を組み合わせて構成されてもよい。
【００３６】
以下、第１の通信バンドが９００ＭＨｚ帯であり、第２の通信バンドが８００ＭＨｚ帯であるとして、高周波モジュール１の動作について説明する。一例として、コンデンサＣ１１の静電容量は２０ｐＦ、コンデンサＣ１２の静電容量は７ｐＦ、コンデンサＣ２の静電容量は２２ｐＦである。また、インダクタＬ１のインダクタンスは８．２ｎＨ、インダクタＬ２のインダクタンスは７．５ｎＨである。
【００３７】
なお、通信バンドは、３ＧＰＰ（Third Generation Partnership Project）の技術仕様：ＴＳ３６．１０１によって定められている。第１の通信バンドが９００ＭＨｚ帯のバンド８である場合、送信周波数は８８０−９１５ＭＨｚであり、受信周波数は９２５−９６０ＭＨｚである。また、第２の通信バンドが８００ＭＨｚ帯のバンド２０である場合、送信周波数は８３２−８６２ＭＨｚであり、受信周波数は７９１−８２１ＭＨｚである。また、上述の高周波モジュール１が対象とする通信バンドは一例であり、特定の通信バンドに限定されるものではない。
【００３８】
また、以下の説明では、第１の通信バンド及び第２の通信バンドの内、通信に用いられる通信バンドを使用バンドと呼ぶ。
【００３９】
まず、通信制御回路３からの制御信号によって、第１の通信バンド（９００ＭＨｚ帯）のみを使用バンドとするシングルモードが通信モードとして指示されると、高周波モジュール１は以下のように動作する。なお、以降の説明では、第１の通信バンドを使用バンドとするシングルモードを、第１シングルモードと呼ぶ。
【００４０】
第１の制御部１９１は、スイッチ１２１をオン制御し、スイッチ１２２，１２３をそれぞれオフ制御する。この結果、第１の伝送経路１１１１とアンテナ端子１３１との間の電気的な接続が導通状態になり、第２の伝送経路１１１２及び第３の伝送経路１１２とアンテナ端子１３１との間の電気的な接続が遮断状態になる。
【００４１】
また、第２の制御部１９２は、通信制御回路３からの制御信号によって、第１の通信バンドの送信信号の送信タイミングが通知される。そこで、第２の制御部１９２は、第２のスイッチ回路１７を制御して、第１の通信バンドの送信信号がある場合には、パワーアンプ１６の出力端をデュプレクサ１５１に電気的に接続する。
【００４２】
したがって、伝送経路１１１には、デュプレクサ１５１の送信側フィルタから出力される第１の通信バンドの送信信号、及びデュプレクサ１５１の受信側フィルタに入力される第１の通信バンドの受信信号が伝送される。
【００４３】
このとき、第１の伝送経路１１１１のみがアンテナ端子１３１に電気的に導通しているので、整合回路１４１−１４３のうち整合回路１４１のみがアンテナ端子１３１と電気的に導通している。整合回路１４１は、第１シングルモードでの通信時に伝送経路１１１側のインピーダンス整合をとるために用いられる。すなわち、第１の通信バンドの周波数帯域において伝送経路１１１側のインピーダンスがアンテナ側インピーダンスに近付くように（理想的には一致するように）、整合回路１４１によってインピーダンス整合がなされている。なお、伝送経路１１１側のインピーダンスは、アンテナ端子１３１からオン状態のスイッチ（１２１、または１２２、または１２１及び１２２）及び第１の伝送経路１１１１を介して伝送経路１１１側をみたインピーダンスである。伝送経路１１１側のインピーダンスは、第１シングルモードにおいて、整合回路１４１、デュプレクサ１５１の送信側フィルタ及び受信側フィルタ、パワーアンプ１６、ローノイズアンプ１８１、及びこれらを接続する配線等によって決まる。アンテナ側インピーダンスは、アンテナ端子１３１からアンテナ２側をみたインピーダンスである。
【００４４】
図２は、第１シングルモードにおける第１のスイッチ回路１２の状態を示す。このとき、伝送経路１１１側のインピーダンスは、第１の通信バンドの受信周波数の範囲９２５−９６０ＭＨｚにおいて、図３Ａのスミスチャートの軌跡Ｘ１で表される。軌跡Ｘ１は、アンテナ側インピーダンスＺ１に比較的近い領域に存在する。この結果、アンテナ端子１３１に入力される第１の通信バンドの受信信号の周波数特性は、図３Ｂの特性Ｙ１に示されるように、９２５−９６０ＭＨｚの周波数範囲において挿入損失が小さく、かつほぼ一定であり、受信信号の周波数特性は良好である。なお、アンテナ側インピーダンスＺ１は、例えば５０Ωに設定されるが、特定の値に限定されない。
【００４５】
一方、図３Ａのスミスチャートの軌跡Ｘ２は比較例である。軌跡Ｘ２は、第１シングルモードにおいて、整合回路１４１の代わりに整合回路１４２のみがアンテナ端子１３１と電気的に導通した場合に、第１の通信バンドの受信周波数における伝送経路１１１側のインピーダンスを表す。この軌跡Ｘ２は、軌跡Ｘ１に比べて、アンテナ側インピーダンスＺ１から離れた領域に存在する。この結果、アンテナ端子１３１に入力される第１の通信バンドの受信信号の周波数特性は、図３Ｂの特性Ｙ２に示されるように、９３０−９５０ＭＨｚの周波数範囲において局所的に挿入損失が大きくなる帯域が発生している。すなわち、特性Ｙ２は、特性Ｙ１に比べて受信信号の周波数特性が悪化している。
【００４６】
なお、図３Ａ、図３Ｂでは、第１の通信バンドの受信周波数におけるインピーダンス特性及び周波数特性を示している。しかし、第１シングルモードでは、整合回路１４１のみがアンテナ端子１３１と電気的に導通することによって（図２参照）、第１の通信バンドの送信信号についても同様に良好な周波数特性が得られる。
【００４７】
したがって、第１シングルモードでは、整合回路１４１のみがアンテナ端子１３１と電気的に導通することによって、第１の通信バンドの通信信号について良好な周波数特性を得ることができる。
【００４８】
次に、通信制御回路３からの制御信号によって、第２の通信バンド（８００ＭＨｚ帯）を使用バンドとするシングルモードが通信モードとして指示されると、高周波モジュール１は以下のように動作する。なお、以降の説明では、第２の通信バンドを使用バンドとするシングルモードを、第２シングルモードと呼ぶ。
【００４９】
第１の制御部１９１は、スイッチ１２３をオン制御し、スイッチ１２１，１２２をそれぞれオフ制御する。この結果、第３の伝送経路１１２とアンテナ端子１３１との間の電気的な接続が導通状態になり、第１の伝送経路１１１１及び第２の伝送経路１１１２とアンテナ端子１３１との間の電気的な接続が遮断状態になる。
【００５０】
また、第２の制御部１９２は、通信制御回路３からの制御信号によって、第２の通信バンドの送信信号の送信タイミングが通知される。そこで、第２の制御部１９２は、第２のスイッチ回路１７を制御して、第２の通信バンドの送信信号がある場合には、パワーアンプ１６の出力端をデュプレクサ１５２に電気的に接続する。
【００５１】
したがって、第３の伝送経路１１２には、デュプレクサ１５２の送信側フィルタから出力される第２の通信バンドの送信信号、及びデュプレクサ１５２の受信側フィルタに入力される第２の通信バンドの受信信号が伝送される。
【００５２】
このとき、第３の伝送経路１１２のみがアンテナ端子１３１に電気的に導通しているので、整合回路１４１−１４３のうち整合回路１４３のみがアンテナ端子１３１と電気的に導通している。整合回路１４３は、第２シングルモードでの通信時にインピーダンス整合をとるために用いられる。すなわち、第２の通信バンドの周波数帯域において第３の伝送経路１１２側のインピーダンスがアンテナ側インピーダンスに近付くように（理想的には一致するように）、整合回路１４３によってインピーダンス整合がなされている。なお、第３の伝送経路１１２側のインピーダンスは、アンテナ端子１３１からオン状態のスイッチ１２３を介して第３の伝送経路１１２側をみたインピーダンスである。第３の伝送経路１１２側のインピーダンスは、第２シングルモードにおいて、整合回路１４３、デュプレクサ１５２の送信側フィルタ及び受信側フィルタ、パワーアンプ１６、ローノイズアンプ１８２、及びこれらを接続する配線等によって決まる。
【００５３】
図４は、第２シングルモードにおける第１のスイッチ回路１２の状態を示す。このとき、第３の伝送経路１１２側のインピーダンスは、整合回路１４３によってインピーダンス整合がとられており、第２の通信バンドの受信信号及び送信信号の各周波数特性は良好である。したがって、第２シングルモードでは、整合回路１４３のみがアンテナ端子１３１と電気的に導通することによって、第２の通信バンドの通信信号について良好な周波数特性を得ることができる。
【００５４】
次に、通信制御回路３からの制御信号によって、第１の通信バンド（９００ＭＨｚ帯）及び第２の通信バンド（８００ＭＨｚ帯）の両方を用いたＣＡモード（Carrier Aggregation Mode）が通信モードとして指示されると、高周波モジュール１は以下のように動作する。ＣＡモードでは、第１の通信バンド及び第２の通信バンドの両方がそれぞれ使用バンドとなる。
【００５５】
第１の制御部１９１は、スイッチ１２２，１２３をそれぞれオン制御し、スイッチ１２１をオフ制御する。この結果、第２の伝送経路１１１２及び第３の伝送経路１１２とアンテナ端子１３１との間の電気的な接続が導通状態になり、第１の伝送経路１１１１とアンテナ端子１３１との間の電気的な接続が遮断状態になる。
【００５６】
第２の制御部１９２は、第２のスイッチ回路１７を制御して、第１の通信バンドの送信信号がある場合には、パワーアンプ１６の出力端をデュプレクサ１５１に電気的に接続する。また、第２の制御部１９２は、第２のスイッチ回路１７を制御して、第２の通信バンドの送信信号がある場合には、パワーアンプ１６の出力端をデュプレクサ１５２に電気的に接続する。
【００５７】
したがって、伝送経路１１１には、デュプレクサ１５１の送信側フィルタから出力される第１の通信バンドの送信信号、及びデュプレクサ１５１の受信側フィルタに入力される第１の通信バンドの受信信号が伝送される。また、第３の伝送経路１１２には、デュプレクサ１５２の送信側フィルタから出力される第２の通信バンドの送信信号、及びデュプレクサ１５２の受信側フィルタに入力される第２の通信バンドの受信信号が伝送される。
【００５８】
このとき、第２の伝送経路１１１２及び第３の伝送経路１１２がアンテナ端子１３１に電気的に導通しているので、整合回路１４１−１４３のうち整合回路１４２，１４３がアンテナ端子１３１と電気的に導通している。そして、伝送経路１１１側のインピーダンスは、整合回路１４２、デュプレクサ１５１の送信側フィルタ及び受信側フィルタ、パワーアンプ１６、ローノイズアンプ１８１、及びこれらを接続する配線等だけでなく、整合回路１４３、デュプレクサ１５２の送信側フィルタ及び受信側フィルタ、ローノイズアンプ１８２、及びこれらを接続する配線等によっても決まる。すなわち、ＣＡモードでは、アンテナ端子１３１と電気的に導通している整合回路１４３、デュプレクサ１５２の送信側フィルタ及び受信側フィルタ、ローノイズアンプ１８２、及びこれらを接続する配線等が、伝送経路１１１側のインピーダンスに影響を与えている。言い換えると、伝送経路１１１側のインピーダンスは、スイッチ１２３のオンオフによって変化する。
【００５９】
そこで、高周波モジュール１は、伝送経路１１１側のインピーダンス整合のために、第１シングルモードでは整合回路１４１を用い、ＣＡモードでは整合回路１４２を用いる。整合回路１４１は、第１シングルモードで伝送経路１１１側のインピーダンスを整合させることができるインピーダンス値に設定されている。また、整合回路１４２は、ＣＡモードで伝送経路１１１側のインピーダンスを整合させることができるインピーダンス値に設定されている。
【００６０】
このように、整合回路１４２は、ＣＡモードでの通信時に、伝送経路１１１側のインピーダンス整合をとるために用いられる。そして、第１の通信バンドの周波数帯域において伝送経路１１１側のインピーダンスがアンテナ側インピーダンスに近付くように（理想的には一致するように）、整合回路１４２によってインピーダンス整合がなされている。
【００６１】
図５は、ＣＡモードにおける第１のスイッチ回路１２の状態を示す。このとき、伝送経路１１１側のインピーダンスは、第１の通信バンドの受信周波数の範囲９２５−９６０ＭＨｚにおいて、図６Ａのスミスチャートの軌跡Ｘ３で表される。軌跡Ｘ３は、アンテナ側インピーダンスＺ１に比較的近い領域に存在する。この結果、アンテナ端子１３１に入力される第１の通信バンドの受信信号の周波数特性は、図６Ｂの特性Ｙ３に示されるように、９２５−９６０ＭＨｚの周波数範囲において挿入損失が小さく、かつほぼ一定であり、受信信号の周波数特性は良好である。
【００６２】
一方、図６Ａのスミスチャートの軌跡Ｘ４は比較例である。軌跡Ｘ４は、ＣＡモードにおいて、整合回路１４２の代わりに整合回路１４１が伝送経路１１１に電気的に接続した場合に、第１の通信バンドの受信周波数における伝送経路１１１側のインピーダンスを表す。この軌跡Ｘ４は、軌跡Ｘ３に比べて、アンテナ側インピーダンスＺ１から離れた領域に存在する。この結果、アンテナ端子１３１に入力される第１の通信バンドの受信信号の周波数特性は、図６Ｂの特性Ｙ４に示されるように、第１の通信バンドの受信周波数の中心周波数に対して高周波数側及び低周波数側のそれぞれにおいて挿入損失が大きくなる。すなわち、特性Ｙ４は、特性Ｙ３に比べて受信信号の周波数特性が悪化している。
【００６３】
なお、図６Ａ、図６Ｂでは、第１の通信バンドの受信周波数におけるインピーダンス特性及び周波数特性を示している。しかし、ＣＡモードでは、整合回路１４２，１４３がアンテナ端子１３１と電気的に導通することによって（図５参照）、第１の通信バンドの送信信号についても同様に良好な周波数特性が得られる。
【００６４】
したがって、ＣＡモード時には、整合回路１４２，１４３がアンテナ端子１３１と電気的に導通することによって、第１の通信バンドの通信信号について良好な周波数特性を得ることができる。
【００６５】
上述の第１シングルモード、第２シングルモード、ＣＡモードのそれぞれにおけるスイッチ１２１−１２３の各状態（オンまたはオフ）は、［表１］のテーブルのように表される。そして、第１シングルモード、第２シングルモード、ＣＡモードのそれぞれにおけるスイッチ１２１−１２３の各状態は、各通信モードにおけるインピーダンス整合がより良好になるように決定されている。
【００６６】
【表１】
2018180761.tif 000003
【００６７】
第２の制御部１９２は、［表１］のテーブルデータを予め記憶しており、指示された通信モードに対応してスイッチ１２１−１２３の各状態を制御する。つまり、高周波モジュール１は、通信モード（使用バンドの数及び組み合わせ）に対応する伝送経路の選択と、通信モードに応じた整合回路の選択とを、第１のスイッチ回路１２の切替動作によって一括して行うことができる。したがって、高周波モジュール１は、通信バンドの数が増えて通信モードの数が増えた場合であっても、上述のテーブルデータに全ての通信モードのそれぞれにおけるスイッチの状態を予め設定しておくことで、伝送経路の選択及び整合回路の選択を簡易な構成で行うことができる。
【００６８】
また、高周波モジュール１は、第３の伝送経路１１２側のインピーダンス整合のために、第２シングルモード及びＣＡモードの両方において、１つの整合回路１４３を用いている。これは、第２の通信バンドの周波数帯域において、第３の伝送経路１１２側のインピーダンスは、スイッチ１２２のオンオフによる変化が小さいので、第２シングルモード及びＣＡモードのそれぞれにおいて、共通の整合回路１４３を用いることができるためである。すなわち、整合回路１４３は、第２シングルモード及びＣＡモードの両方において、第３の伝送経路１１２側のインピーダンスを整合させることができるインピーダンス値に設定されている。
【００６９】
図１では、整合回路１４１−１４３のインピーダンス素子の接続形態は、コンデンサを伝送経路に挿入し、インダクタを伝送経路に対してシャント接続した、所謂ハイパス型である。すなわち、整合回路１４１−１４３は、伝送経路１１１，１１２のそれぞれに対するインピーダンス素子の接続形態が同一になっている。整合回路１４１−１４３は、インピーダンス素子の接続形態を同一（この場合はハイパス型）にすることで、構成の簡略化を図っている。
【００７０】
そして、上述では、第１の通信バンドを９００ＭＨｚ帯とし、第２の通信バンドを８００ＭＨｚ帯としているが、使用される通信バンドの周波数帯域は、これらの値に限定されない。また、アンテナ側インダクタンスは、使用するアンテナ２の種類によって変化する。したがって、使用する通信バンドの周波数帯域、アンテナ側インピーダンスに応じて、複数の整合回路の各インピーダンスは適宜設定される必要がある。
【００７１】
以下、整合回路の変形例について説明する。高周波モジュール１は、使用する通信バンドの周波数帯域、アンテナ側インピーダンスに適した整合回路を備える。
【００７２】
図７Ａでは、整合回路１４１，１４２のインピーダンス素子の接続形態を、所謂ローパス型としている。具体的に、整合回路１４１は、インダクタＬ３１とコンデンサＣ３とで構成される。コンデンサＣ３は、伝送経路１１１とグランドとの間に電気的にシャント接続している。インダクタＬ３１は、第１の伝送経路１１１１に電気的に直列接続している。整合回路１４２は、インダクタＬ３２とコンデンサＣ３とで構成される。インダクタＬ３２は、第２の伝送経路１１１２に電気的に直列接続している。
【００７３】
図７Ｂでは、整合回路１４２がインダクタＬ１のみで構成されている。
【００７４】
また、第１のスイッチ回路１２のスイッチ１２１，１２２の両方がオン制御されてもよい。
【００７５】
例えば、図８では、整合回路１４１は、インダクタＬ４１とコンデンサＣ４とで構成され、整合回路１４２は、インダクタＬ４１，Ｌ４２とコンデンサＣ４とで構成される。インダクタＬ４１は、伝送経路１１１とグランドとの間に電気的にシャント接続している。コンデンサＣ４は、第１の伝送経路１１１１に電気的に直列接続している。インダクタＬ４２は、第２の伝送経路１１１２に電気的に直列接続している。
【００７６】
そして、スイッチ１２１のみがオン制御されると、整合回路１４１のみがアンテナ端子１３１と電気的に導通する。整合回路１４１は、ハイパス型に構成されている。
【００７７】
また、スイッチ１２１，１２２の両方がオン制御されると、整合回路１４１，１４２がアンテナ端子１３１と電気的に導通する。この場合、整合回路１４２は、コンデンサＣ４とインダクタＬ４２との共振作用によって、ノッチフィルタと同様に機能する。
【００７８】
次に、高周波モジュール１の第１変形例を、図９に示す。
【００７９】
第１変形例の高周波モジュール１は、伝送経路１１２から分岐した２つの伝送経路１１２１，１１２２を備える。第１変形例では、伝送経路１１２１を第３の伝送経路１１２１と呼び、伝送経路１１２２を第４の伝送経路１１２２と呼ぶ。第３の伝送経路１１２１及び第４の伝送経路１１２２は、第２の通信バンドにそれぞれ対応している。
【００８０】
また、第１のスイッチ回路１２がスイッチ１２４をさらに備えている。そして、高周波モジュール１は、スイッチ１２４を介してアンテナ端子１３１に電気的に導通する整合回路１４４をさらに備えている。
【００８１】
図９の整合回路１４３は、第３の伝送経路１１２１に対して設けられており、インダクタＬ２とコンデンサＣ２１とで構成される。インダクタＬ２は、伝送経路１１２とグランドとの間に電気的にシャント接続している。コンデンサＣ２１は、第３の伝送経路１１２１に電気的に直列接続している。整合回路１４４は、第４の伝送経路１１２２に対して設けられており、インダクタＬ２とコンデンサＣ２２とで構成される。コンデンサＣ２２は、第４の伝送経路１１２２に電気的に直列接続している。
【００８２】
第３の伝送経路１１２１は、オン状態のスイッチ１２３を介してアンテナ端子１３１に電気的に導通する。第４の伝送経路１１２２は、オン状態のスイッチ１２４を介してアンテナ端子１３１に電気的に導通する。
【００８３】
そして、高周波モジュール１は、第１のスイッチ回路１２のスイッチ１２１，１２２を個別にオンオフ制御することで、整合回路１４１，１４２を用いて伝送経路１１１側のインピーダンス整合をとることができる。また、高周波モジュール１は、第１のスイッチ回路１２のスイッチ１２３，１２４を個別にオンオフ制御することで、整合回路１４３，１４４を用いて伝送経路１１２側のインピーダンス整合をとることができる。
【００８４】
図９では、高周波モジュール１が、４つの伝送経路（第１の伝送経路１１１１、第２の伝送経路１１１２、第３の伝送経路１１２１、第４の伝送経路１１２２）を備えて、４つの伝送経路に整合回路をそれぞれ設けている。したがって、高周波モジュール１は、インピーダンス整合の調整幅が広がり、様々な通信バンド、アンテナ２の様々な種類に対応できる。
【００８５】
例えば、第１シングルモードの通信時に、第１の制御部１９１は、スイッチ１２１をオン制御し、スイッチ１２２−１２４をそれぞれオフ制御する。この結果、第１の伝送経路１１１１とアンテナ端子１３１との間の電気的な接続が導通状態になり、第２の伝送経路１１１２、第３の伝送経路１１２１、及び第４の伝送経路１１２２とアンテナ端子１３１との間の電気的な接続が遮断状態になる。
【００８６】
また、第２シングルモードの通信時に、第１の制御部１９１は、スイッチ１２４をオン制御し、スイッチ１２１−１２３をそれぞれオフ制御する。この結果、第４の伝送経路１１２２とアンテナ端子１３１との間の電気的な接続が導通状態になり、第１の伝送経路１１１１、第２の伝送経路１１１２、及び第３の伝送経路１１２１とアンテナ端子１３１との間の電気的な接続が遮断状態になる。
【００８７】
また、ＣＡモードの通信時に、第１の制御部１９１は、スイッチ１２２，１２３をそれぞれオン制御し、スイッチ１２１，１２４をそれぞれオフ制御する。この結果、第２の伝送経路１１１２及び第３の伝送経路１１２１とアンテナ端子１３１との間の電気的な接続が導通状態になり、第１の伝送経路１１１１及び第４の伝送経路１１２２とアンテナ端子１３１との間の電気的な接続が遮断状態になる。
【００８８】
次に、高周波モジュール１の第２変形例を、図１０に示す。
【００８９】
第２変形例の高周波モジュール１は、伝送経路１１１から分岐した伝送経路１１１３をさらに備える。第２変形例では、伝送経路１１１３を第５の伝送経路１１１３と呼ぶ。
【００９０】
また、第１のスイッチ回路１２がスイッチ１２４Ａをさらに備えている。そして、高周波モジュール１は、スイッチ１２４Ａを介して第５の伝送経路１１１３に電気的に接続される整合回路１４４Ａをさらに備えている。
【００９１】
図１０の整合回路１４４Ａは、第５の伝送経路１１１３に対して設けられており、インダクタＬ１とコンデンサＣ１３とで構成される。インダクタＬ１は、伝送経路１１１とグランドとの間に電気的にシャント接続している。コンデンサＣ１３は、第５の伝送経路１１１３に電気的に直列接続している。第５の伝送経路１１１３は、オン状態のスイッチ１２４Ａを介してアンテナ端子１３１に電気的に導通する。
【００９２】
そして、高周波モジュール１は、第１のスイッチ回路１２のスイッチ１２１，１２２，１２４Ａを個別にオンオフ制御することで、整合回路１４１，１４２，１４４Ａを用いて伝送経路１１１側のインピーダンス整合をとることができる。また、高周波モジュール１は、第１のスイッチ回路１２のスイッチ１２３をオンオフ制御することで、整合回路１４３を用いて伝送経路１１２側のインピーダンス整合をとることができる。
【００９３】
図１０では、高周波モジュール１が、１つの伝送経路１１１に対してのみ、複数（この場合は３つ）の整合回路を設けている。したがって、高周波モジュール１は、第１の通信バンドを含むＣＡモード時に、インピーダンス整合の調整幅が広がり、第１の通信バンドを含む様々な通信バンドの組み合わせに対応できる。
【００９４】
なお、第１のスイッチ回路１２が有するスイッチの数、第１のスイッチ回路１２のオンオフ制御、整合回路のインピーダンス素子の接続形態、通信バンドの周波数帯域、ＣＡモード時の通信バンドの組み合わせなどは、上述の構成に限定されない。第１のスイッチ回路１２が有するスイッチの数、第１のスイッチ回路１２のオンオフ制御、整合回路のインピーダンス素子の接続形態、通信バンドの周波数帯域、ＣＡモード時の通信バンドの組み合わせなどは、使用する通信バンドの周波数帯域、ＣＡモード時の通信バンドの組み合わせなどに応じて適宜設定される。
【００９５】
例えば、高周波モジュール１は、３つの伝送経路を備えて、３つの伝送経路が、７００ＭＨｚ帯の通信バンド、８００ＭＨ帯の通信バンド、９００ＭＨｚ帯の通信バンドにそれぞれ対応してもよい。この場合、高周波モジュール１は、最大３つのシングルモード、２つの通信バンドを組み合わせた最大６つのＣＡモードに対応できる。また、ＣＡモードは、３つ以上の通信バンドを組み合わせてもよい。
【００９６】
また、高周波モジュール１では、利用可能な通信バンド（伝送経路）の総数が２つ以上であり、整合回路の数は、利用可能な通信バンドの総数より多くなる。
【００９７】
図１１、図１２は、高周波モジュール１の部品実装の概略構成を示す。高周波モジュール１は、図１の伝送経路１１１，１１２、第１のスイッチ回路１２、アンテナ端子１３１、整合回路１４１−１４３、デュプレクサ１５１，１５２、パワーアンプ１６、第２のスイッチ回路１７、ローノイズアンプ１８１，１８２、スイッチ制御回路１９を多層基板１０に実装している。
【００９８】
そして、多層基板１０の表層面にはエポキシなどの樹脂１００がモールドされており、防水性、防湿性、耐震動性の向上を図り、ほこりの付着を抑制している。なお、図１１では、説明のために樹脂１００を省略している。
【００９９】
多層基板１０は、銀または銅を導電体として使用した低温焼成セラミックス（Low Temperature Co-fired Ceramics）基板であることが好ましい。伝送経路１１１，１１２は、多層基板１０の表層または内層に、銀または銅によって形成される。第１のスイッチ回路１２、デュプレクサ１５１，１５２、パワーアンプ１６、第２のスイッチ回路１７、ローノイズアンプ１８１，１８２、スイッチ制御回路１９は、集積化された受動素子、及び半導体素子などで形成されたＩＣ（Integrated Circuit）チップであり、多層基板１０の表層に半田４によって実装される。多層基板１０への実装工程は、半田バンプを用いて行われる。また、整合回路１４１−１４３を構成するコンデンサ、インダクタなどのインピーダンス素子は、チップ部品として多層基板１０の表層に実装されている。なお、インピーダンス素子は、多層基板１０の内層に形成される形態、または多層基板１０の表層に形成される形態のいずれであってもよい。
【０１００】
高周波モジュール１は、複数の通信バンドのうちいずれかの通信バンドで送信または受信のみを行う場合、この通信バンドに対応する通信経路には、デュプレクサの代わりに送信側フィルタまたは受信側フィルタを電気的に接続しておく。この場合、送信側フィルタ、及び受信側フィルタが、フィルタ回路に相当する。
【０１０１】
以上のように、実施形態に係る第１の態様の高周波モジュール１は、第１の伝送経路１１１１及び第２の伝送経路１１１２と、第３の伝送経路１１２（または１１２１）と、アンテナ端子１３１と、整合回路１４１，１４２，１４３と、第１のスイッチ回路１２（スイッチ回路）と、を備える。第１の伝送経路１１１１及び第２の伝送経路１１１２は、第１の通信バンドに対応する。第２の伝送経路１１１２は、前記第１の通信バンドと周波数帯が異なる第２の通信バンドに対応する。アンテナ端子１３１は、アンテナ２に電気的に接続される。整合回路１４１，１４２，１４３は、第１の伝送経路１１１１、第２の伝送経路１１１２及び第３の伝送経路１１２（または１１２１）のそれぞれに設けられる。第１のスイッチ回路１２は、共通端子１２０を有し、第１の伝送経路１１１１、第２の伝送経路１１１２及び第３の伝送経路１１２のうち、１つ以上が選択的に共通端子１２０に電気的に接続される。共通端子１２０はアンテナ端子１３１に電気的に接続される。そして、第１のスイッチ回路１２は、第１の通信バンドのみを用いて通信するとき、第１の伝送経路１１１１を選択し、第１の通信バンドおよび第２の通信バンドを共用して通信するとき、第２の伝送経路１１１２及び第３の伝送経路１１２を選択する。
【０１０２】
上述の高周波モジュール１は、複数の通信バンド（第１の通信バンド及び第２の通信バンド）のうち通信に用いる通信バンドに応じて、伝送経路及び整合回路を切り替えて、インピーダンス整合をとる。したがって、高周波モジュール１は、複数の通信バンドのうち１つの通信バンドが使用される場合、または２つ以上の通信バンドが共用される場合の、いずれの場合においても、通信信号の損失を抑制することができる。
【０１０３】
さらに、高周波モジュール１は、通信に用いる通信バンドに対応する伝送経路の選択と、通信に用いる通信バンドの数及び組み合わせに応じた整合回路の選択とを、第１のスイッチ回路１２の切替動作によって行う。
【０１０４】
つまり、高周波モジュール１では、第１のスイッチ回路１２が、通信バンドを選択する機能と、インピーダンス整合のために整合回路を選択する機能とを有している。言い換えると、通信バンドを選択するための構成と、インピーダンス整合のための構成とが、１つの第１のスイッチ回路１２によって実現されている。したがって、通信バンドを選択するための構成と、インピーダンス整合のための構成とを別々に備えるよりも、高周波モジュール１は、構成の簡略化を図ることができる。
【０１０５】
この結果、高周波モジュール１は、複数の通信バンドのうち１つの通信バンドが使用される場合、または２つ以上の通信バンドが共用される場合の、いずれの場合においても、通信信号の損失を抑制することができるという効果を奏する。さらに、高周波モジュール１は、通信バンドを選択するための構成と、インピーダンス整合のための構成とを、簡易な構成で実現している。
【０１０６】
また、実施形態に係る第２の態様の高周波モジュール１では、第１の態様において、第１のフィルタ回路（デュプレクサ１５１）と、第２のフィルタ回路（デュプレクサ１５２）と、をさらに備えてもよい。第１のフィルタ回路は、第１の伝送経路１１１１及び第２の伝送経路１１１２に電気的に接続される。第２のフィルタ回路は、第３の伝送経路１１２に電気的に接続される。
【０１０７】
したがって、高周波モジュール１は、フィルタ回路（デュプレクサ１５１，１５２）によって伝送経路側のインピーダンスが変動する場合でも、通信信号の損失を抑制することができる。
【０１０８】
また、実施形態に係る第３の態様の高周波モジュール１では、第１または第２の態様において、第１の伝送経路１１１１、第２の伝送経路１１１２及び第３の伝送経路１１２（または１１２１）のそれぞれに設けられる整合回路１４１，１４２，１４３を構成するインピーダンス素子の接続形態は同一であってもよい。
【０１０９】
したがって、高周波モジュール１は、複数の整合回路を同一構成とすることで、構成のさらなる簡略化を図ることができる。
【０１１０】
また、実施形態に係る第４の態様の高周波モジュール１では、第１乃至第３の態様のいずれか一つにおいて、第２の通信バンドに対応する第４の伝送経路１１２２と、第４の伝送経路１１２２に設けられる整合回路１４４とをさらに備えてもよい。第１のスイッチ回路１２は、第２の通信バンドのみを用いて通信するとき、第４の伝送経路１１２２を選択する。
【０１１１】
したがって、高周波モジュール１は、インピーダンス整合の調整幅が広がり、様々な通信バンド、アンテナ２の様々な種類に対応できる。
【０１１２】
また、実施形態に係る第５の態様の高周波モジュール１では、第１乃至第４の態様のいずれか一つにおいて、送信用増幅回路（パワーアンプ１６）をさらに備えてもよい。前記送信用増幅回路は、第１の通信バンド及び第２の通信バンドの各送信信号を増幅する。
【０１１３】
したがって、高周波モジュール１は、ＣＡモードで動作可能な無線通信のフロントエンド回路を構成することができる。
【０１１４】
また、実施形態に係る第６の態様の高周波モジュール１では、第１乃至第５の態様のいずれか一つにおいて、受信用増幅回路（ローノイズアンプ１８１，１８２）をさらに備えてもよい。前記受信用増幅回路は、第１の通信バンド及び前記第２の通信バンドの各受信信号を増幅する。
【０１１５】
したがって、高周波モジュール１は、ＣＡモードで動作可能な無線通信のフロントエンド回路を構成することができる。
【０１１６】
また、上述の実施形態および変形例は本発明の一例である。このため、本発明は、上述の実施形態および変形例に限定されることはなく、この実施形態および変形例以外であっても、本発明に係る技術的思想を逸脱しない範囲であれば、設計等に応じて種々の変更が可能であることは勿論である。
【符号の説明】
【０１１７】
１  高周波モジュール
１１１１  第１の伝送経路
１１１２  第２の伝送経路
１１２  第３の伝送経路
１１２１  第３の伝送経路
１１２２  第４の伝送経路
１２  第１のスイッチ回路（スイッチ回路）
１３１  アンテナ端子
１４１，１４２，１４３，１４４，１４４Ａ  整合回路
１５１  デュプレクサ（第１のフィルタ回路）
１５２  デュプレクサ（第２のフィルタ回路）
１６  パワーアンプ（送信用増幅回路）
１７  第２のスイッチ回路
１８１，１８２  ローノイズアンプ（受信用増幅回路）
１９  スイッチ制御回路
Ｃ２，Ｃ３，Ｃ４，Ｃ１１，Ｃ１２，Ｃ１３，Ｃ２１，Ｃ２２  コンデンサ（インピーダンス素子）
Ｌ１，Ｌ２，Ｌ３１，Ｌ３２，Ｌ４１，Ｌ４２  インダクタ（インピーダンス素子）
２  アンテナ
３  通信制御回路
【図１】
2018180761.tif 000004
【図２】
2018180761.tif 000005
【図３】
2018180761.tif 000006
【図４】
2018180761.tif 000007
【図５】
2018180761.tif 000008
【図６】
2018180761.tif 000009
【図７】
2018180761.tif 000010
【図８】
2018180761.tif 000011
【図９】
2018180761.tif 000012
【図１０】
2018180761.tif 000013
【図１１】
2018180761.tif 000014
【図１２】
2018180761.tif 000015
【手続補正書】
【提出日】令和1年9月17日(2019.9.17)
【手続補正１】
【補正対象書類名】明細書
【補正対象項目名】００９５
【補正方法】変更
【補正の内容】
【００９５】
例えば、高周波モジュール１は、３つの伝送経路を備えて、３つの伝送経路が、７００ＭＨｚ帯の通信バンド、８００ＭＨｚ帯の通信バンド、９００ＭＨｚ帯の通信バンドにそれぞれ対応してもよい。この場合、高周波モジュール１は、最大３つのシングルモード、２つの通信バンドを組み合わせた最大６つのＣＡモードに対応できる。また、ＣＡモードは、３つ以上の通信バンドを組み合わせてもよい。
【国際調査報告】
2018180761.tif 000016
2018180761.tif 000017